(57)【要約】【課題】マナーモード設定中であることを着信者側の簡単な操作で発信者側に通知する。【解決手段】電子メールを送受信する機能を有する携帯電話のマナーモード設定システムに、マナーモードの設定、解除を行うマナーモードＯＮ／ＯＦＦボタン１０４Ａと、電子メールのアドレスから選択したマナーモード通知メールアドレスとマナーモードＯＮ時の通知文書、マナーモードＯＦＦ時の通知文書を記憶するマナーモード通知メールアドレス/通知文書記憶部１０３Ａと、前記マナーモードＯＮ／ＯＦＦボタンの押下に対してマナーモードの設定又は解除を判断し、前記マナーモード通知メールアドレス/通知文書記憶部に記憶されているマナーモード通知メールアドレスに対して、マナーモードＯＮ時の通知文書又はマナーモードＯＦＦ時の通知文書のメールを送付命令するマナーモード通知メール送付命令部１０１Ａとを備える。【選択図】図１
2005223550.tif 000002
【特許請求の範囲】
【請求項１】
電子メールを送受信する機能を有する携帯電話のマナーモード設定システムにおいて、
マナーモードの設定、解除を行うマナーモードＯＮ／ＯＦＦボタンと、
電子メールのアドレスから選択したマナーモード通知メールアドレスとマナーモードＯＮ時の通知文書、マナーモードＯＦＦ時の通知文書を記憶するマナーモード通知メールアドレス/通知文書記憶部と、
前記マナーモードＯＮ／ＯＦＦボタンの押下に対してマナーモードの設定又は解除を判断し、前記マナーモード通知メールアドレス/通知文書記憶部に記憶されているマナーモード通知メールアドレスに対して、マナーモードＯＮ時の通知文書又はマナーモードＯＦＦ時の通知文書のメールを送付命令するマナーモード通知メール送付命令部とを備えることを特徴とする携帯電話のマナーモード設定システム。
【請求項２】
電子メールを送受信する機能を有する携帯電話のマナーモード設定システムにおいて、
マナーモードの設定、解除を行うマナーモードＯＮ／ＯＦＦボタンと、
マナーモードＯＮ時の通知文書、マナーモードＯＦＦ時の通知文書を記憶する通知文書記憶部と、
前記マナーモードＯＮ／ＯＦＦボタンの押下に対してマナーモードの設定又は解除を判断し、記憶されている全ての電子メールのアドレスに対して、マナーモードＯＮ時の通知文書又はマナーモードＯＦＦ時の通知文書のメールを送付命令するマナーモード通知メール送付命令部とを備えることを特徴とする携帯電話のマナーモード設定システム。
【請求項３】
前記マナーモード通知メールアドレス/通知文書記憶部又は前記通知文書記憶部にはマナーモードＯＮ時に「現在マナーモード設定中です。」との通知文書又はマナーモードＯＦＦ時に「マナーモード設定解除しました。」との通知文書を記憶することを特徴とする、請求項１又は請求項２に記載の携帯電話のマナーモード設定システム。
【請求項４】
前記マナーモード通知メールアドレス/通知文書記憶部又は前記通知文書記憶部に記憶されるマナーモードＯＮ時の通知文書、マナーモードＯＦＦ時の通知文書が書き替え可能であることを特徴とする、請求項１又は請求項２に記載の携帯電話のマナーモード設定システム。
【請求項５】
前記マナーモード通知メールアドレス/通知文書記憶部又は前記通知文書記憶部は、マナーモードＯＮ時の通知文書、マナーモードＯＦＦ時の通知文書を複数それぞれ記憶し、前記マナーモード通知メール送付命令部は前記マナーモードＯＮ／ＯＦＦボタンの押下回数により前記通知文書を選択して電子メールを送付することを特徴とする、請求項１又は請求項２に記載の携帯電話のマナーモード設定システム。
【請求項６】
前記マナーモード通知メールアドレス/通知文書記憶部又は前記通知文書記憶部は、マナーモードＯＮ時に、「現在マナーモード設定中です。」、マナーモードＯＦＦ時に、「マナーモード設定解除しました。」の通知文書；マナーモードＯＮ時に、「現在マナーモード設定中です。会議中です。」、マナーモードＯＦＦ時に、「マナーモード設定解除しました。ただ今会議終了しました。」との通知文書；マナーモードＯＮ時に、「現在マナーモード設定中です。商談中です。」、マナーモードＯＦＦ時に、「マナーモード設定解除しました。ただ今商談終了しました。」との通知文書；マナーモードＯＮ時に、「現在マナーモード設定中です。車内です。」、マナーモードＯＦＦ時に、「マナーモード設定解除しました。現在車外です。」との通知文書；マナーモードＯＮ時に、「現在マナーモード設定中です。病院内です。」、マナーモードＯＦＦ時に、「マナーモード設定解除しました。現在病院外です。」との通知文書；マナーモードＯＮ時に、「現在マナーモード設定中です。劇場内です。」、マナーモードＯＦＦ時に、「マナーモード設定解除しました。現在劇場外です。」との通知文書；マナーモードＯＮ時に、「現在マナーモード設定中です。美術館内です。」、マナーモードＯＦＦ時に、「マナーモード設定解除しました。現在美術館外です。」との通知文書を記憶することを特徴とする、請求項４に記載の携帯電話のマナーモード設定システム。
【請求項７】
電子メールを送受信する機能を有する携帯電話のマナーモード設定方法において、
マナーモードの設定、解除を行う工程と、
電子メールのアドレスからマナーモード通知メールアドレスを選択し記憶する工程と、
マナーモードＯＮ時の通知文書、マナーモードＯＦＦ時の通知文書を記憶する工程と、
マナーモードの設定又は解除を判断し、選択されたマナーモード通知メールアドレスに対して、マナーモードＯＮ時の通知文書又はマナーモードＯＦＦ時の通知文書のメールを送付する工程とを備えることを特徴とする携帯電話のマナーモード設定方法。
【発明の詳細な説明】
【技術分野】
【０００１】
本発明は携帯電話のマナーモード設定システムに関する。特に、本発明は、マナーモード設定中であることを着信者側の簡単な操作で発信者側に通知する携帯電話のマナーモード設定システム及び方法に関する。
【背景技術】
【０００２】
従来、会議、商談など、携帯電話に出られない場合、電車内、病院内、劇場内のように携帯電話の着信音を鳴らしたくない場合などは、携帯電話はマナーモードに設定される。さらに、マナーモード設定中には留守録が設定され、着信音に代わりバイブレータが設定される。携帯電話をマナーモード設定中にバイブレータを設定しても、携帯電話に電話がかかってきた場合に電話に出られない場合が多く、発信者側にとって無駄な操作となっていた。
【０００３】
従来の携帯電話では、発信者側には着信者側の状況が分からないため、着信者側にとって都合の悪い時に電話をかけてしまう場合があるので、着信者側の状況を知ることができれば、発信者側では無駄な電話をかけずに済むことが可能になる。
このため、従来の状態通知サーバには、発信前に発信先の携帯電話の動作モードを容易に検知するため、複数の携帯電話がサーバに接続され、サーバは、それぞれの携帯電話からその携帯電話の動作モードを表わす情報を受信して、複数の携帯電話に送信し、携帯電話は、マナーモード、ドライブモードおよび電源オフモードを含む複数の動作モードを有し、携帯電話は、サーバから、他の携帯電話の電話番号と、その携帯電話の動作モードとを受信する通信部と、他の携帯電話の電話番号と、その携帯電話の動作モードとを記憶する記憶部と、記憶部に記憶された電話番号を表示するとともに、電話番号に対応付けて動作モードを表示する表示部とを含むようにしているものがある（例えば、特許文献１参照）。
【０００４】
ところで、上記の特許文献１に記載の従来技術では、ネットワーク上にマナーモード動作モード等を通知する状態通知サーバが必要となり、状態通知サーバを介在してマナーモード動作モード等を受信する特定の携帯電話の発信者側でのみ着信者側の状況を知ることが可能である。しかしながら、このような状態通知サーバを介在しない一般の携帯電話に対して上記の特許文献１に記載の従来技術は適用が不可能であり、汎用性がないという問題がある。
【０００５】
また、従来の携帯端末には、ネットワーク上に携帯端末の状況を記憶しておくためのサーバを必要とせず、また、他の携帯端末は発呼せずとも相手側の状況を知ることができる携帯端末等を提供するため、自己の状態データをグループ登録されている他の携帯電話のユーザに通知する場合、選択手段により選択肢記憶手段に予め格納された複数の状態選択肢の中から所定の状態選択肢を選択し、データ生成手段で状態データを生成し、送信手段により送信し、また、グループ登録されている他の携帯電話のユーザの状態を確認する場合、送信受信手段で受信された状態データを、判断手段でグループ登録されている携帯端末から送られたものと判断し、さらに状態変更があった状態データと判断したとき、該状態データをデータ記憶手段に記憶し、さらに表示制御手段により表示部に表示するようにしているものがある（例えば、特許文献２参照）。
【０００６】
ところで、上記の特許文献２に記載の従来技術では、自己の状態データをグループ登録されている他の携帯電話のユーザに通知し、通知された特定の他の携帯電話でのみ受信し表示することが可能である。しかしながら、上記の状態データを受信し、表示する機能を持たない一般の携帯電話に対しては上記の特許文献２に記載の従来技術は適用が不可能であり、汎用性がないという問題がある
【０００７】
【特許文献１】特開２００２−３７４３５０号公報
【特許文献２】特開２００３−２７３９９６号公報
【０００８】
さらに、上記の従来技術の他に、携帯電話をマナーモードに設定するときに、電子メールで相手にマナーモードを設定した旨を記述し、相手に知らせることが可能であるが、この記述をキー入力する必要があり煩わしいという問題がある。
【発明の開示】
【発明が解決しようとする課題】
【０００９】
したがって、本発明は上記問題点に鑑みて、マナーモード設定中であることを着信者側の簡単な操作で発信者側に通知する携帯電話のマナーモード設定システムを提供することを目的とする。
【課題を解決するための手段】
【００１０】
本発明は前記問題点を解決するために、電子メールを送受信する機能を有する携帯電話のマナーモード設定システムにおいて、マナーモードの設定、解除を行うマナーモードＯＮ／ＯＦＦボタンと、電子メールのアドレスから選択したマナーモード通知メールアドレスとマナーモードＯＮ時の通知文書、マナーモードＯＦＦ時の通知文書を記憶するマナーモード通知メールアドレス/通知文書記憶部と、前記マナーモードＯＮ／ＯＦＦボタンの押下に対してマナーモードの設定又は解除を判断し、前記マナーモード通知メールアドレス/通知文書記憶部に記憶されているマナーモード通知メールアドレスに対して、マナーモードＯＮ時の通知文書又はマナーモードＯＦＦ時の通知文書のメールを送付命令するマナーモード通知メール送付命令部とを備えることを特徴とする携帯電話のマナーモード設定システムを提供する。
【００１１】
さらに、本発明は、電子メールを送受信する機能を有する携帯電話のマナーモード設定システムにおいて、マナーモードの設定、解除を行うマナーモードＯＮ／ＯＦＦボタンと、マナーモードＯＮ時の通知文書、マナーモードＯＦＦ時の通知文書を記憶する通知文書記憶部と、前記マナーモードＯＮ／ＯＦＦボタンの押下に対してマナーモードの設定又は解除を判断し、記憶されている全ての電子メールのアドレスに対して、マナーモードＯＮ時の通知文書又はマナーモードＯＦＦ時の通知文書のメールを送付命令するマナーモード通知メール送付命令部とを備えることを特徴とする携帯電話のマナーモード設定システムを提供する。
【００１２】
好ましくは、前記マナーモード通知メールアドレス/通知文書記憶部又は前記通知文書記憶部にはマナーモードＯＮ時に「現在マナーモード設定中です。」との通知文書又はマナーモードＯＦＦ時に「マナーモード設定解除しました。」との通知文書を記憶する。
さらに、前記マナーモード通知メールアドレス/通知文書記憶部又は前記通知文書記憶部に記憶されるマナーモードＯＮ時の通知文書、マナーモードＯＦＦ時の通知文書が書き替え可能である。
さらに、前記マナーモード通知メールアドレス/通知文書記憶部又は前記通知文書記憶部は、マナーモードＯＮ時の通知文書、マナーモードＯＦＦ時の通知文書を複数それぞれ記憶し、前記マナーモード通知メール送付命令部は前記マナーモードＯＮ／ＯＦＦボタンの押下回数により前記通知文書を選択して電子メールを送付する。
【００１３】
好ましくは、前記マナーモード通知メールアドレス/通知文書記憶部又は前記通知文書記憶部は、マナーモードＯＮ時に、「現在マナーモード設定中です。」、マナーモードＯＦＦ時に、「マナーモード設定解除しました。」の通知文書；マナーモードＯＮ時に、「現在マナーモード設定中です。会議中です。」、マナーモードＯＦＦ時に、「マナーモード設定解除しました。ただ今会議終了しました。」との通知文書；マナーモードＯＮ時に、「現在マナーモード設定中です。商談中です。」、マナーモードＯＦＦ時に、「マナーモード設定解除しました。ただ今商談終了しました。」との通知文書；マナーモードＯＮ時に、「現在マナーモード設定中です。車内です。」、マナーモードＯＦＦ時に、「マナーモード設定解除しました。現在車外です。」との通知文書；マナーモードＯＮ時に、「現在マナーモード設定中です。病院内です。」、マナーモードＯＦＦ時に、「マナーモード設定解除しました。現在病院外です。」との通知文書；マナーモードＯＮ時に、「現在マナーモード設定中です。劇場内です。」、マナーモードＯＦＦ時に、「マナーモード設定解除しました。現在劇場外です。」との通知文書；マナーモードＯＮ時に、「現在マナーモード設定中です。美術館内です。」、マナーモードＯＦＦ時に、「マナーモード設定解除しました。現在美術館外です。」との通知文書を記憶する。
【００１４】
さらに、本発明は、電子メールを送受信する機能を有する携帯電話のマナーモード設定方法において、マナーモードの設定、解除を行う工程と、電子メールのアドレスからマナーモード通知メールアドレスを選択し記憶する工程と、マナーモードＯＮ時の通知文書、マナーモードＯＦＦ時の通知文書を記憶する工程と、マナーモードの設定又は解除を判断し、選択されたマナーモード通知メールアドレスに対して、マナーモードＯＮ時の通知文書又はマナーモードＯＦＦ時の通知文書のメールを送付する工程とを備えることを特徴とする携帯電話のマナーモード設定方法を提供する。
【発明の効果】
【００１５】
以上説明したように、本発明によれば、ユーザが携帯電話をマナーモードに設定した時に、頻繁に連絡を取り合う特定の相手で予め登録しておいた相手に自動的にマナーモード設定中であることを自動的に電子メールで通知することにより、発信者側に着信者側の都合が悪いことを認識させることが可能となる。
また、ユーザがマナーモード設定を解除した時に、頻繁に連絡を取り合う特定の相手で予め登録しておいた相手にマナーモード設定解除したことを自動的に電子メールで通知することにより、発信者側に着信者側の都合が良くなったことを認識させることが可能になる。
【００１６】
マナーモードＯＮ時、マナーモードＯＦＦ時にそれぞれで予め作成された複数の通知文書を保存登録し、この中から該当する通知文書をユーザが選択することが可能になり、ユーザの入力操作が簡単になる。
【発明を実施するための最良の形態】
【００１７】
図１は本発明に係る携帯電話のマナーモード設定システムの概略構成を示すブロック図である。
本図に示すように、携帯電話１００と基地局２００の間で無線接続が行われ、携帯電話１００は、基地局２００を介して、他の携帯電話１００、固定電話と通話を行う機能、電子メールを行う機能を有する。
【００１８】
携帯電話１００には制御部１０１が設けられ、制御部１０１は携帯電話１００の全体の制御を行い、特に、マナーモード設定、解除時に通知メールを送付する命令を行うマナーモード通知メール送付命令部１０１Ａを有する。
制御部１０１には液晶表示（ＬＣＤ）部１０２が接続され、液晶表示部１０２は携帯電話１００の機能、データの表示を行い、特に、マナーモード設定、解除時の通知メールに対する通知相手の情報などを表示する。
【００１９】
さらに、制御部１０１には記憶部１０３が接続され、記憶部１０３は制御部１０１の制御プロトコル、データを記憶し、特に、マナーモード設定、解除時の通知メールのアドレス情報、通知文書の情報を記憶するマナーモード通知メールアドレス/通知文書記憶部１０３Ａを有する。
さらに、制御部１０１には操作部１０４が接続され、操作部１０４は携帯電話１００の機能を操作しデータを入力する複数のボタンを有し、特に、マナーモードの設定、解除を行うマナーモードＯＮ／ＯＦＦボタン１０４Ａを有する。
【００２０】
さらに、制御部１０１には無線部１０５が接続され、無線部１０５は送受信データの変復調を行う。
無線部１０５にはアンテナ１０６が接続され、アンテナ１０６は携帯電話１００と基地局２００との無線接続を行い、無線部１０５に受信信号を出力し、無線部１０５から送信信号を入力する。
【００２１】
さらに、制御部１０１にはスピーカ１０７が接続され、スピーカ１０７は着信音の鳴動を行い、マナーモードＯＮ時には着信音の鳴動を停止し、マナーモードＯＦＦ時には着信音の鳴動停止を解除するように制御される。
さらに、制御部１０１にはバイブレータ１０８が接続され、バイブレータ１０８は着信時で特にマナーモードＯＮ時に携帯電話１００のバイブレーションを行う。
【００２２】
さらに、制御部１０１には留守録部１０９が接続され、留守録部１０９は着信時で特にマナーモードＯＮ時に留守録を行う。
さらに、制御部１０１には送受話器１１０が接続され、送受話器１１０は相手との通話に使用される。
図２は図１における記憶部１０３に保存される電話番号、メールアドレス、マナーモード通知有無の情報を説明する図である。
【００２３】
本図（ａ）に示すように、記憶部１０３には電話番号、メールアドレスが保存登録され、保存登録された電話番号、メールアドレスに対してマナーモード通知有無を選択する「通知する」ボタン、「通知しない」ボタンが表示される。デフォルトでは「通知しない」ボタンがアクティブになっており、マナーモード通知無しが選択されている。
本図（ｂ）に示すように、ユーザが「通知する」ボタンを押すことにより、「通知する」ボタンがアクティブになり、対応するメールアドレスに対してマナーモード通知有りが選択される。
【００２４】
図３は図１におけるマナーモード通知メールアドレス/通知文書記憶部１０３Ａに保存登録される通知先メールアドレスト、通知文書の情報を説明する図である。
図１における記憶部１０３でマナーモード通知有りが選択されると、本図に示すように、マナーモード通知メールアドレス/通知文書記憶部１０３Ａにはマナーモード設定中である旨を伝えたい通知相手の通知メールアドレス情報が記憶部１０３からコピーにより保存登録される。
【００２５】
さらに、マナーモード通知メールアドレス/通知文書記憶部１０３ＡにはマナーモードＯＮ時、マナーモードＯＦＦ時にそれぞれで、予め作成されたフォーマットの通知文書がデフォルトで保存登録されている。
例えば、マナーモードＯＮ時に対しては「現在マナーモード設定中です。」、マナーモードＯＦＦ時に対しては「マナーモードを解除しました。」のような通知文書を挙げることができる。なお、ユーザにより、デフォルトの通知文書を書き替えることは可能である。
【００２６】
図４は図１における操作部１０４のマナーモードＯＮ／ＯＦＦボタン１０４Ａの動作例を説明するフローチャートである。
本図に示すように、ステップＳ３０１において、制御部１０１ではマナーモード設定解除されているか否かを判断する。
ステップＳ３０２において、マナーモード設定解除されている場合には、制御部１０１では、マナーモードＯＮ／ＯＦＦボタン１０４Ａの押下を待つ。
【００２７】
ステップＳ３０３において、マナーモードＯＮ／ＯＦＦボタン１０４Ａの押下がある場合には、制御部１０１では、マナーモード設定を行い、処理を終了する。すなわち、会議、商談など、携帯電話に出られない場合、電車内、病院内、劇場内のように携帯電話の着信音を鳴らしたくない場合などは、ユーザにより、操作部１０４のマナーモードＯＮ／ＯＦＦボタン１０４Ａを使用してマナーモードＯＮに設定される
【００２８】
ステップＳ３０４において、マナーモード設定中の場合には、制御部１０１では、マナーモードＯＮ／ＯＦＦボタン１０４Ａの押下を待つ。
ステップＳ３０５において、マナーモードＯＮ／ＯＦＦボタン１０４Ａの押下がある場合には、制御部１０１では、マナーモード設定解除を行い、処理を終了する。
図５は図１における制御部１０１のマナーモード通知メール送付命令部１０１Ａに関する一連の動作例を説明するフローチャートである。
【００２９】
ステップＳ３１１において、制御部１０１では、操作部１０４のマナーモードＯＮ／ＯＦＦボタン１０４Ａから信号を受信する。
ユーザにより、操作部１０４のマナーモードＯＮ／ＯＦＦボタン１０４Ａを使用してマナーモードＯＮに設定されると、制御部１０１に「マナーモードをＯＮにしなさい。」という信号が伝達される。
【００３０】
逆に、ユーザにより、操作部１０４のマナーモードＯＮ／ＯＦＦボタン１０４Ａを使用してマナーモードＯＦＦに設定されると、制御部１０１に「マナーモードをＯＦＦにしなさい。」という信号が伝達される。
ステップＳ３１２において、マナーモード通知メール送付命令部１０１Ａでは、伝達された信号から「マナーモードをＯＮにしなさい。」という信号か、又は、「マナーモードをＯＦＦにしなさい。」という信号かの判断を行う。
【００３１】
ステップＳ３１３において、「マナーモードをＯＮにしなさい。」という信号が伝達された場合には、マナーモード通知メール送付命令部１０１Ａから記憶部１０３のマナーモード通知メールアドレス/通知文書記憶部１０３Ａにアクセスし、保存登録された通知先メールアドレス情報、マナーモードＯＮ時の通知文書を読み出す。
ステップＳ３１４において、マナーモード通知メール送付命令部１０１Ａではメール送付用フォーマットを起動し、宛先欄にマナーモード通知メールアドレス/通知文書記憶部１０３Ａから読み出したメールアドレスを、本文欄にマナーモード通知メールアドレス/通知文書記憶部１０３Ａから読み出したマナーモードＯＮ時の通知文書を貼り付ける。
【００３２】
ステップＳ３１５において、貼り付け後に、無線部１０５、アンテナ１０６を経由してメールを送信し、処理を終了する。
ステップＳ３１６において、「マナーモードをＯＦＦにしなさい。」という信号が伝達された場合には、マナーモード通知メール送付命令部１０１Ａから記憶部１０３のマナーモード通知メールアドレス/通知文書記憶部１０３Ａにアクセスし、保存登録された通知先メールアドレス情報、マナーモードＯＦＦ時の通知文書を読み出す。
【００３３】
ステップＳ３１７において、マナーモード通知メール送付命令部１０１Ａではメール送付用フォーマットを起動し、宛先欄にマナーモード通知メールアドレス/通知文書記憶部１０３Ａから読み出したメールアドレスを、本文欄にマナーモード通知メールアドレス/通知文書記憶部１０３Ａから読み出したマナーモードＯＦＦ時の通知文書を貼り付ける。
ステップＳ３０８において、貼り付け後に、無線部１０５、アンテナ１０６を経由してメールを送信し、処理を終了する。
【００３４】
このようにして、本発明によれば、ユーザが携帯電話１００をマナーモードに設定した時に、頻繁に連絡を取り合う特定の相手で予め登録しておいた相手に自動的にマナーモード設定中であることを電子メールで通知することにより、発信者側に着信者側の都合が悪いことを認識させることが可能となる。
また、ユーザがマナーモード設定を解除した時に、頻繁に連絡を取り合う特定の相手で予め登録しておいた相手に自動的にマナーモード設定解除したことを電子メールで通知することにより、発信者側に着信者側の都合が良くなったことを認識させることが可能になる。
【００３５】
以上の説明では、登録されている全メールアドレス中の特定の相手に対してのみの通知であったが、前述の基本的な動作は同じであるが通知先が異なる実施例として、登録されている全メールアドレス宛に通知を以下のように行ってもよい。
【実施例１】
【００３６】
以下、本発明の実施の形態について図面を参照して説明する。
図６は図１の変形例に係る携帯電話のマナーモード設定システムの概略構成を示すブロック図である。
本図に示すように、図１と比較して、記憶部１０３と通知文書記憶部１０３Ｂが異なる構成要素である。
【００３７】
図７は図６における記憶部１０３に保存される電話番号、メールアドレスの情報を説明する図である。
本図に示すように、記憶部１０３には電話番号、メールアドレスが保存登録され、図２と比較して、保存登録されたメールアドレスの全てがマナーモード設定、解除の通知先の対象となる。
【００３８】
図８は図６における通知文書記憶部１０３Ｂに保存登録される通知文書の情報を説明する図である。
本図に示すように、図３と比較して、通知文書記憶部１０３Ｂには、マナーモードＯＮ時、マナーモードＯＦＦ時にそれぞれで予め作成されたフォーマットの通知文書がデフォルトで保存登録されている。
【００３９】
例えば、マナーモードＯＮ時に対しては「現在マナーモード設定中です。」、マナーモードＯＦＦ時に対しては「マナーモード設定解除しました。」のような通知文書を挙げることができる。なお、ユーザにより、デフォルトの通知文書を書き換えることは可能である。
図９は図６における制御部１０１のマナーモード通知メール送付命令部１０１Ａに関する一連の動作例を説明するフローチャートである。
【００４０】
本図に示すように、図５と比較して、ステップＳ３２３、ステップＳ３２４、ステップＳ３２６、ステップＳ３２７が、以下のように、異なる。
ステップＳ３２３において、「マナーモードをＯＮにしなさい。」という信号が伝達された場合には、マナーモード通知メール送付命令部１０１Ａから記憶部１０３にアクセスし保存登録された通知先メールアドレス情報を読み出し、さらに、通知文書記憶部１０３Ｂにアクセスし、マナーモードＯＮ時の通知文書を読み出す。
【００４１】
ステップＳ３２４において、マナーモード通知メール送付命令部１０１Ａではメール送付用フォーマットを起動し、記憶部１０３から読み出したメールアドレスを宛先欄に、通知文書記憶部１０３Ｂから読み出したマナーモードＯＮ時の通知文書を本文欄に貼り付ける。
ステップＳ３２６において、「マナーモードをＯＦＦにしなさい。」という信号が伝達された場合には、マナーモード通知メール送付命令部１０１Ａから記憶部１０３にアクセスし保存登録された通知先メールアドレス情報を読み出し、さらに、通知文書記憶部１０３Ｂにアクセスし、マナーモードＯＦＦ時の通知文書を読み出す。
【００４２】
ステップＳ３２７において、マナーモード通知メール送付命令部１０１Ａではメール送付用フォーマットを起動し、記憶部１０３から読み出したメールアドレスを宛先欄に、通知文書記憶部１０３Ｂから読み出したマナーモードＯＮ時の通知文書を本文欄に貼り付ける。
【実施例２】
【００４３】
図１０は図３における通知文書情報又は図８における通知文書情報の変形例を説明する図である。
本図に示すように、図１におけるマナーモード通知メールアドレス/通知文書記憶部１０３Ａ、図６における通知文書記憶部１０３Ｂの各々に、マナーモードＯＮ時、マナーモードＯＦＦ時にそれぞれで予め作成された複数の通知文書を保存登録するようにしてもよい。この中から該当する通知文書をユーザが選択することが可能になり、ユーザの入力操作が簡単になる。
【００４４】
例えば、Ｎｏ．０の例では、前述のように、マナーモードＯＮ時に、「現在マナーモード設定中です。」、マナーモードＯＦＦ時に、「マナーモード設定解除しました。」の通知文書が保存登録されます。
次に、Ｎｏ．１の例では、マナーモードＯＮ時に、「現在マナーモード設定中です。会議中です。」、マナーモードＯＦＦ時に、「マナーモード設定解除しました。ただ今会議終了しました。」との通知文書が保存登録されます。これにより、マナーモード設定を行った理由が相手に伝わります。以下同様であります。
【００４５】
Ｎｏ．２の例では、マナーモードＯＮ時に、「現在マナーモード設定中です。商談中です。」、マナーモードＯＦＦ時に、「マナーモード設定解除しました。ただ今商談終了しました。」との通知文書が保存登録されます。
Ｎｏ．３の例では、マナーモードＯＮ時に、「現在マナーモード設定中です。車内です。」、マナーモードＯＦＦ時に、「マナーモード設定解除しました。現在車外です。」との通知文書が保存登録されます。
【００４６】
Ｎｏ．４の例では、マナーモードＯＮ時に、「現在マナーモード設定中です。病院内です。」、マナーモードＯＦＦ時に、「マナーモード設定解除しました。現在病院外です。」との通知文書が保存登録されます。
Ｎｏ．５の例では、マナーモードＯＮ時に、「現在マナーモード設定中です。劇場内です。」、マナーモードＯＦＦ時に、「マナーモード設定解除しました。現在劇場外です。」との通知文書が保存登録されます。
【００４７】
Ｎｏ．６の例では、マナーモードＯＮ時に、「現在マナーモード設定中です。美術館内です。」、マナーモードＯＦＦ時に、「マナーモード設定解除しました。現在美術館外です。」との通知文書が保存登録されます。
図１１は図１０における通知文書の選択方法を説明するフローチャートである。本図に示すように、ステップＳ３３１において、ステップＳ３３１において、制御部１０１ではマナーモード設定解除されているか否かを判断する。
【００４８】
ステップＳ３３２において、マナーモード設定解除されている場合には、制御部１０１では、マナーモードＯＮ／ＯＦＦボタン１０４Ａの押下を待つ。
ステップＳ３３３において、マナーモードＯＮ／ＯＦＦボタン１０４Ａの押下がある場合には、タイマをスタートする。
ステップＳ３３４において、タイマが一定時間経過したかを判断する。
【００４９】
ステップＳ３３５において、タイマが一定時間経過しない場合には、マナーモードＯＮ／ＯＦＦボタン１０４Ａの押下があったか否かを判断する。押下がない場合にはステップＳス３３４に戻り、マナーモードＯＮ／ＯＦＦボタン１０４Ａの押下を待つ。
ステップＳ３３６において、マナーモードＯＮ／ＯＦＦボタン１０４Ａの押下がある場合には、制御部１０１では、通知文書変更を行う。
【００５０】
ステップＳ３３７において、タイマリセットを行い、ステップＳ３３４に戻り、さらに、通知文書変更が行われるか否かの判断を行う。
ここで、ステップＳ３３５におけるマナーモードＯＮ／ＯＦＦボタン１０４Ａの１回目の押下で、図１０のＮｏ．０からＮｏ．１の通知文書への通知文書変更が行われる。
マナーモードＯＮ／ＯＦＦボタン１０４Ａの２回目の押下で、図１０のＮｏ．１からＮｏ．２の通知文書への通知文書変更が行われる。
【００５１】
マナーモードＯＮ／ＯＦＦボタン１０４Ａの３回目の押下で、図１０のＮｏ．２からＮｏ．３の通知文書への通知文書変更が行われる。
マナーモードＯＮ／ＯＦＦボタン１０４Ａの４回目の押下で、図１０のＮｏ．３からＮｏ．４の通知文書への通知文書変更が行われる。
マナーモードＯＮ／ＯＦＦボタン１０４Ａの５回目の押下で、図１０のＮｏ．４からＮｏ．５の通知文書への通知文書変更が行われる。
【００５２】
マナーモードＯＮ／ＯＦＦボタン１０４Ａの６回目の押下で、図１０のＮｏ．５からＮｏ．６の通知文書への通知文書変更が行われる。
マナーモードＯＮ／ＯＦＦボタン１０４Ａの７回目の押下で、図１０のＮｏ．６からＮｏ．０の通知文書への通知文書変更に戻る。
このようにして、ユーザにより複数の通知文書から任意の１つを容易に選択される。
【図面の簡単な説明】
【００５３】
【図１】本発明に係る携帯電話のマナーモード設定システムの概略構成を示すブロック図である。
【図２】図１における記憶部１０３に保存される電話番号、メールアドレス、マナーモード通知有無の情報を説明する図である。
【図３】図１におけるマナーモード通知メールアドレス/通知文書記憶部１０３Ａに保存登録される通知先メールアドレスト、通知文書の情報を説明する図である。
【図４】図１における操作部１０４のマナーモードＯＮ／ＯＦＦボタン１０４Ａの動作例を説明するフローチャートである。
【図５】図１における制御部１０１のマナーモード通知メール送付命令部１０１Ａに関する一連の動作例を説明するフローチャートである。
【図６】図１の変形例に係る携帯電話のマナーモード設定システムの概略構成を示すブロック図である。
【図７】図６における記憶部１０３に保存される電話番号、メールアドレスの情報を説明する図である。
【図８】図６における通知文書記憶部１０３Ｂに保存登録される通知文書の情報を説明する図である。
【図９】図６における制御部１０１のマナーモード通知メール送付命令部１０１Ａに関する一連の動作例を説明するフローチャートである。
【図１０】図３における通知文書情報又は図８における通知文書情報の変形例を説明する図である。
【図１１】図１０における通知文書の選択方法を説明するフローチャートである。
【符号の説明】
【００５４】
１００…携帯電話
１０１…制御部
１０１Ａ…マナーモード通知メール送付命令部
１０２…液晶表示部
１０３…記憶部
１０３Ａ…マナーモード通知メールアドレス/通知文書記憶部
１０３Ｂ…通知文書記憶部
１０４…操作部
１０４Ａ…マナーモードＯＮ／ＯＦＦボタン
１０５…無線部
１０６…アンテナ
１０７…スピーカ
１０８…バイブレータ
１０９…留守録部
１１０…送受話器
２００…基地局
【図１】
2005223550.tif 000003
【図２】
2005223550.tif 000004
【図３】
2005223550.tif 000005
【図４】
2005223550.tif 000006
【図５】
2005223550.tif 000007
【図６】
2005223550.tif 000008
【図７】
2005223550.tif 000009
【図８】
2005223550.tif 000010
【図９】
2005223550.tif 000011
【図１０】
2005223550.tif 000012
【図１１】
2005223550.tif 000013